(57)【要約】【課題】紛失や盗難にあったことを所有者が認識後、従来と比べて早く情報端末の使用をロックすることが可能な情報端末を提供する。【解決手段】パーソナルコンピュータ等の情報端末であって、ＯＳを起動できる本体部（ＣＰＵやＨＤＤを有するハードウェア）と、ハードウェア無線モジュール（例えば、ＨＳＤＰＡ対応等）とからなっている。無線モジュールは、本体部とは独立して（別系統など、常には連動していない）、電源を供給を受けることができ、常にＯＮになっている。そして、無線モジュールがロック要求を受信すると、本体部の使用をロックするよう構成されている。【選択図】図１
2009239661.tif 000002
【特許請求の範囲】
【請求項１】
電源のオンとオフとが可能であってデータを格納する本体部と、前記本体部の電源がオフであっても電源が供給される無線通信モジュールとを有し、前記本体部の電源がオフのときに、前記無線通信モジュールが、前記本体部の使用をロックする要求を外部から受信すると、前記本体部を一時的に起動して、前記本体部の使用をロックする情報端末。
【請求項２】
電源のオンとオフとが可能でありデータを格納する本体部と、前記本体部の電源がオフであっても電源が供給される無線通信モジュールとを有し、
前記無線通信モジュールは、外部から受信した要求が、前記本体部の使用をロックする要求であるか判定する判定手段と、前記本体部の使用をロックする要求であった場合に、前記本体部にロックを指示する指示手段とを有し、
前記本体部は、前記指示手段からロックを指示されると、一時的に本体部を起動する起動手段と、前記一時的な本体部の起動中に、前記本体部の次の使用をロックするロック手段とを有することを特徴とする情報端末。
【請求項３】
前記無線通信モジュールが取り外されると、前記本体部は起動しないことを特徴とする請求項２記載の情報端末。
【請求項４】
前記本体部は、ＢＩＯＳとＯＳとを起動可能であり、前記ロック手段によるロックはＢＩＯＳのロックであることを特徴とする請求項２または３記載の情報端末。
【請求項５】
本体部の電源がオフであっても電源が供給される無線通信モジュールが接続されるとともに、電源のオンとオフとが可能でありデータを格納する本体部を有し、
前記本体部の電源がオフのときに、前記無線通信モジュールが、前記本体部の使用をロックする要求を外部から受信すると、前記本体部を一時的に起動して、前記本体部の使用をロックする情報端末。
【請求項６】
本体部の電源がオフであっても電源が供給される無線通信モジュールが接続されるとともに、電源のオンとオフとが可能でありデータを内蔵する本体部を有し、
前記無線通信モジュールは、外部から受信した要求が、前記本体部の使用をロックする要求であった場合に、前記本体部にロックを指示する指示手段を有し、
前記本体部は、前記指示手段からロックを指示されると、一時的に本体部を起動する起動手段と、前記一時的な本体部の起動中に、前記本体部の次の使用をロックするロック手段とを有することを特徴とする情報端末。
【請求項７】
本体部の電源がオフであっても電源が供給されるとともに、電源のオンとオフとが可能であってデータを格納する本体部の電源がオフのときに、前記本体部の使用をロックする要求を外部から受信すると、前記本体部を一時的に起動させて、前記本体部の使用をロックさせる無線通信モジュール。
【発明の詳細な説明】
【技術分野】
【０００１】
本発明は、正当な所有者以外の者に不正に使用されるリスクを抑制することができる情報端末に関し、特に、使用のロックを遠隔からすることができる情報端末に関する。
【背景技術】
【０００２】
情報端末を紛失したり盗難にあったりすると、情報端末に記憶されているデータを、第三者に盗み見されたりするなどの問題が生じる。
【０００３】
そこで、上述のような問題を抑制するため、情報端末に、情報端末の操作をロックする要求を無線で遠隔から送信することにより、情報端末の操作をロックする技術が特許文献１に記載されている。
【０００４】
【特許文献１】特開２００３−３１９４５３号公報
【発明の開示】
【発明が解決しようとする課題】
【０００５】
ところで、特許文献１記載の技術では、情報端末が起動してない場合には、当然に、ロックする要求を受信することができないので、情報端末にロックをかけることができない。すなわち、情報端末内のデータを盗み見されてしまう問題が発生してしまう。
【０００６】
そこで、本発明は、紛失や盗難にあったことを所有者が認識後、従来と比べて早く情報端末の使用をロックすることが可能な情報端末を提供することを目的とする。
【課題を解決するための手段】
【０００７】
本発明の第１の情報端末は、電源のオンとオフとが可能であってデータを格納する本体部と、前記本体部の電源がオフであっても電源が供給される無線通信モジュールとを有し、前記本体部の電源がオフのときに、前記無線通信モジュールが、前記本体部の使用をロックする要求を外部から受信すると、前記本体部を一時的に起動して、前記本体部の使用をロックする。
【０００８】
本発明の第２の情報端末は、電源のオンとオフとが可能でありデータを格納する本体部と、前記本体部の電源がオフであっても電源が供給される無線通信モジュールとを有し、前記無線通信モジュールは、外部から受信した要求が、前記本体部の使用をロックする要求であるか判定する判定手段と、前記本体部の使用をロックする要求であった場合に、前記本体部にロックを指示する指示手段とを有し、前記本体部は、前記指示手段からロックを指示されると、一時的に本体部を起動する起動手段と、前記一時的な本体部の起動中に、前記本体部の次の使用をロックするロック手段とを有することを特徴とする。
【０００９】
本発明の第３の情報端末は、本体部の電源がオフであっても電源が供給される無線通信モジュールが接続されるとともに、電源のオンとオフとが可能でありデータを格納する本体部を有し、前記本体部の電源がオフのときに、前記無線通信モジュールが、前記本体部の使用をロックする要求を外部から受信すると、前記本体部を一時的に起動して、前記本体部の使用をロックする。
【００１０】
本発明の第４の情報端末は、本体部の電源がオフであっても電源が供給される無線通信モジュールが接続されるとともに、電源のオンとオフとが可能でありデータを内蔵する本体部を有し、前記無線通信モジュールは、外部から受信した要求が、前記本体部の使用をロックする要求であった場合に、前記本体部にロックを指示する指示手段を有し、前記本体部は、前記指示手段からロックを指示されると、一時的に本体部を起動する起動手段と、前記一時的な本体部の起動中に、前記本体部の次の使用をロックするロック手段とを有することを特徴とする。
【００１１】
本発明の無線通信モジュールは、本体部の電源がオフであっても電源が供給されるとともに、電源のオンとオフとが可能であってデータを格納する本体部の電源がオフのときに、前記本体部の使用をロックする要求を外部から受信すると、前記本体部を一時的に起動させて、前記本体部の使用をロックさせる。
【発明の効果】
【００１２】
本発明によれば、紛失や盗難にあったことを所有者が認識後、従来と比べて早く情報端末の使用をロックすることが可能な情報端末を提供することができる。
【発明を実施するための最良の形態】
【００１３】
以下、図面を参照して本発明を実施するための最良の形態について説明する。まず、本実施の形態の概略を簡単に説明すると、本発明の実施の形態の情報端末は、パーソナルコンピュータ等の情報端末であって、ＯＳを起動できる本体部（ＣＰＵやＨＤＤを有するハードウェア）と、ハードウェア無線モジュール（例えば、ＨＳＤＰＡ対応等）とからなっている。無線モジュールは、本体部とは独立して（別系統など、常には連動していない。）、電源を供給を受けることができ、常にＯＮになっている。そして、無線モジュールがロック要求を受信すると、本体部の使用をロックするよう構成されている。以下、詳細に説明する。
【００１４】
図１は、本実施の形態の情報端末１０のハードウェア構成を説明するためのブロック図である。図１を参照すると、情報端末１０は、ＢＩＯＳやＯＳを起動可能な本体部１１と、本体部１１と接続される無線通信モジュール１２と、本体部１１と無線通信モジュール１２に電源を供給する電源供給部１３とを有する。
【００１５】
電源供給部１３は、無線通信モジュール１２には常に電源を供給している。つまり、通信モジュール１２は、本体部１１の電源が落ちていても、後述するロック要求を受信可能である。
【００１６】
次に、情報端末１０のソフトウェア構成を説明する。図２は、情報端末１０のソフトウェア構成を説明するためのブロック図である。
【００１７】
図２を参照すると、本体部１１は、起動手段２１と、ロック手段２２とを論理的に有する。起動手段２１は、本体部１１を起動、すなわち、ＢＩＯＳやＯＳを立ち上げる手段である。また、ロック手段２２は、本体部１１の起動をロックする、すなわち、本体部１１の使用をロックする手段である。なお、ロック手段２２の動作については後述する。
【００１８】
一方、無線通信モジュール１２は、ＲＯＭ等に格納されたプログラムによって、ロックトリガー確認手段３１、及び、本体部制御手段３２を論理的に有する。
【００１９】
次に、本実施の形態の情報端末１０における、遠隔から本体部１１の使用をロックする動作について説明する。図３は、本実施の形態の情報端末１０の動作を説明するためのフローチャートである。
【００２０】
より詳細には、本体部１１への電源供給がＯＦＦであった、すなわち、本体部１１が使用できない、つまり情報端末１０を使用していない状態（本実施の形態では、この状態が情報端末１０がＯＦＦ状態である。）で、本体部１１をロックする、すなわち、情報端末１０の使用をロックする動作について説明する。
【００２１】
図３を参照すると、無線通信モジュール１２には常に電源が供給されているので、ロックトリガー確認手段３１は、外部からロックするためのトリガーを受信したか否かを確認する（ステップＳ１）。トリガーとしては、図示せぬサーバに情報端末１０をロックするためのステータスを定期的に確認しにいくことや、所有者が直接、無線通信モジュール１２に通信するなど各種の方法が採用できる。
【００２２】
ステップＳ１にて、無線通信モジュール１２のロックトリガー確認手段３１が、トリガーを受信すると、本体部制御手段３２は、本体部３１に起動をかける（ステップＳ２）。
【００２３】
すると、本体部３１の起動手段２１は、まずは、ＢＩＯＳを立ち上げ始めるなど、本体部３１の起動を開始する（ステップＳ３）。続いて、本体制御手段３２は、本体部３１に本体部３１のロックを指示する（ステップＳ４）。このステップＳ４のタイミングは、本体部３１のＯＳが起動し始める前で十分かつ好適である。また、ステップＳ３とステップＳ４とで無線通信モジュール１２が送信する指示は同じタイミングでもよい。
【００２４】
次いで、ステップＳ４にて、ロックの指示を受けた本体部１１のロック手段２２は、例えば、所謂ＢＩＯＳロックをかける（ステップＳ５）。これにより、第三者がＯＳを起動できなくなる。なお、本実施の形態では、ＯＳの起動開始前にＢＩＯＳロックをかけているが、本体部１１の使用をロックする方法は各種あり、様々な手法を実施することができる。
【００２５】
次いで、無線通信モジュール１２の本体部制御手段３２は、本体部１１に電源のＯＦＦを指示し（ステップＳ６）、本体部１１は電源をＯＦＦにする。なお、ステップＳ２のタイミングで、一連の動作として本体部１１の起動、ロック、電源のＯＦＦのまでするよう無線通信モジュール１２が本体部１１に指示してもよい。
【００２６】
このようにして、本実施の形態によれば、本体部１１がＯＦＦ（実質的には、情報端末１０がＯＦＦのステータスである）にあっても、情報端末１０をロックする、すなわち、情報端末１０の使用をロックすることができる。このことは、例えば、情報端末１０が、紛失や盗難にあったと気づいた後、第三者が情報端末１０を起動する前に（また、第三者が拾う前に）、情報端末１０の使用をロックすることができるので、従来よりも、より早く、情報端末１０の使用をロックすることができる。
【００２７】
なお、上述の実施の形態において、無線通信モジュール１２が接続されていない場合には、本体部１１を起動できないようにしておくこともできる。
【００２８】
また、本実施の形態では、パーソナルコンピュータを例にして説明したが、携帯電話等、本体部と無線通信部とを備えた情報端末であれば、本実施の形態と同様に、本発明を適用することができる。
【図面の簡単な説明】
【００２９】
【図１】情報端末１０のハードウェア構成を説明するためのブロック図である。
【図２】情報端末１０のソフトウェア構成を説明するためのブロック図である。
【図３】情報端末１０の動作を説明するためのフローチャートである。
【符号の説明】
【００３０】
１０  情報端末
１１  本体部
１２  無線通信モジュール
１３  電源部
２１  起動手段
２２  ロック手段
３１  ロックトリガー確認手段
３２  本体制御手段
【図１】
2009239661.tif 000003
【図２】
2009239661.tif 000004
【図３】
2009239661.tif 000005